(57)【要約】【課題】光ファイバケーブルから光ファイバを口出しする際に、光ファイバの破損を防止できる光ファイバ口出し工具の提供。【解決手段】基準面４を有する工具本体２と、基準面４に沿って光ファイバケーブル３１を移動可能に保持する保持部材３とを備えた光ファイバ口出し工具１。工具本体２は、基準面４に対し傾斜して形成された引取り面５を有し、引取り面５と基準面４との境界が剥離用縁部６とされている。保持部材３との間に配置した光ファイバケーブル３１の基材３３を、剥離用縁部５を経て引取り面６に沿って引き取ることによって光ファイバ３２から剥離させることができる。【選択図】図７
2010072449.tif 000002
【特許請求の範囲】
【請求項１】
テープ状の基材（３３）の一方面に、長さ方向に沿って光ファイバ（３２）が固定された光ファイバケーブル（３１）から前記光ファイバを口出しする光ファイバ口出し工具であって、
基準面（４）を有する工具本体（２）と、前記基準面に沿って前記光ファイバケーブルを長さ方向に移動可能に保持する保持部材（３）とを備え、
前記工具本体が、前記基準面に対し傾斜して形成された引取り面（５）を有し、この引取り面と前記基準面との境界が剥離用縁部（６）とされ、
前記基材を前記基準面に向けた姿勢で前記保持部材との間に配置した光ファイバケーブルの前記基材を、前記剥離用縁部を経て前記引取り面に引き取り可能とされていることを特徴とする光ファイバ口出し工具（１）。
【請求項２】
前記基準面に対する前記引取り面の傾斜角度（θ）は、９０度以下とされていることを特徴とする請求項１に記載の光ファイバ口出し工具。
【請求項３】
前記剥離用縁部は、先端が断面円弧状に形成されていることを特徴とする請求項１または２に記載の光ファイバ口出し工具。
【請求項４】
前記保持部材は、前記光ファイバケーブルを前記基準面に押さえ込んで保持する閉位置と、前記光ファイバケーブルを開放する開位置とを切り替え可能とされていることを特徴とする請求項１〜３のうちいずれか１項に記載の光ファイバ口出し工具。
【請求項５】
前記引取り面は、前記工具本体に形成された溝部（１６）内に形成されていることを特徴とする請求項１〜４のうちいずれか１項に記載の光ファイバ口出し工具。
【請求項６】
前記工具本体に、前記基材を引き取る引取ローラ（４２）が設けられていることを特徴とする請求項１〜５のうちいずれか１項に記載の光ファイバ口出し工具。
【請求項７】
テープ状の基材（３３）の一方面に、長さ方向に沿って光ファイバ（３２）が固定された光ファイバケーブル（３１）から、光ファイバ口出し工具を用いて前記光ファイバを口出しする方法であって、
前記光ファイバ口出し工具は、基準面（４）を有する工具本体（２）と、前記基準面に沿って前記光ファイバケーブルを長さ方向に移動可能に保持する保持部材（３）とを備え、
前記工具本体が、前記基準面に対し傾斜して形成された引取り面（５）を有し、この引取り面と前記基準面との境界が剥離用縁部（６）とされ、
前記基材を前記基準面に向けた姿勢で前記保持部材との間に配置した光ファイバケーブルの前記基材を、前記剥離用縁部を経て前記引取り面に引き取ることによって前記光ファイバから剥離させることを特徴とする光ファイバ口出し方法。
【発明の詳細な説明】
【技術分野】
【０００１】
本発明は、発電所、プラント等に配設された配管などの歪みを検知する光ファイバセンサケーブル等の光ファイバケーブルから光ファイバを口出しするのに使用可能な光ファイバ口出し工具および方法に関する。
【背景技術】
【０００２】
この種の光ファイバ口出し工具としては、特許文献１〜３に記載されたものがある。
特許文献１には、断面長方形の光ファイバケーブルを把持し、シースを引き裂くことにより光ファイバ心線等を取り出し可能な光ファイバ口出し工具が開示されている。
特許文献２および特許文献３には、シースに切り込み可能な切り込み刃を有し、シースを切り裂いて光ファイバ心線等を取り出し可能な光ファイバ口出し工具が開示されている。
【０００３】
図１０は、光ファイバケーブルの一例を示すもので、この光ファイバセンサケーブル３１は、光ファイバ３２が、基材３３表面に固定材３４により固定されて構成されている。
図１１に示すように、光ファイバ３２に他の光ファイバを融着接続するなどの目的で、光ファイバ３２を口出しする必要が生じた場合には、光ファイバ３２の端部付近を基材３３から剥がすことが必要となる。
【０００４】
しかしながら、図１２に示すように、光ファイバ３２を基材３３から剥離させる際には、光ファイバ３２を基材３３から引き剥がそうとすると、例えば符号３５で示す剥離開始箇所において光ファイバ３２に曲げ方向の大きな力が加えられて光ファイバ３２が破損するおそれがある。
【特許文献１】特開２００６−２２０８７１号公報
【特許文献２】特開２００６−２５１７６９号公報
【特許文献３】特開２００６−２５１７７０号公報
【発明の開示】
【発明が解決しようとする課題】
【０００５】
本発明は、前記課題に鑑みて、テープ状の基材の一方面に光ファイバが固定された光ファイバケーブルから光ファイバを口出しする際に、光ファイバの破損を防止できる光ファイバ口出し工具および方法の提供を目的とする。
【課題を解決するための手段】
【０００６】
本発明の請求項１にかかる発明は、テープ状の基材の一方面に、長さ方向に沿って光ファイバが固定された光ファイバケーブルから前記光ファイバを口出しする光ファイバ口出し工具であって、基準面を有する工具本体と、前記基準面に沿って前記光ファイバケーブルを長さ方向に移動可能に保持する保持部材とを備え、前記工具本体が、前記基準面に対し傾斜して形成された引取り面を有し、この引取り面と前記基準面との境界が剥離用縁部とされ、前記基材を前記基準面に向けた姿勢で前記保持部材との間に配置した光ファイバケーブルの前記基材を、前記剥離用縁部を経て前記引取り面に引き取り可能とされている光ファイバ口出し工具である。
本発明の請求項２にかかる発明は、請求項１において、前記基準面に対する前記引取り面の傾斜角度が９０度以下とされている光ファイバ口出し工具である。
本発明の請求項３にかかる発明は、請求項１または２において、前記剥離用縁部の先端が断面円弧状に形成されている光ファイバ口出し工具である。
本発明の請求項４にかかる発明は、請求項１〜３のうちいずれか１項において、前記保持部材が、前記光ファイバケーブルを前記基準面に押さえ込んで保持する閉位置と、前記光ファイバケーブルを開放する開位置とを切り替え可能とされている光ファイバ口出し工具である。
本発明の請求項５にかかる発明は、請求項１〜４のうちいずれか１項において、前記引取り面が、前記工具本体に形成された溝部内に形成されている光ファイバ口出し工具である。
本発明の請求項６にかかる発明は、請求項１〜５のうちいずれか１項において、前記工具本体に、前記基材を引き取る引取ローラが設けられている光ファイバ口出し工具である。
【０００７】
本発明の請求項７にかかる発明は、テープ状の基材の一方面に、長さ方向に沿って光ファイバが固定された光ファイバケーブルから、光ファイバ口出し工具を用いて前記光ファイバを口出しする方法であって、前記光ファイバ口出し工具は、基準面を有する工具本体と、前記基準面に沿って前記光ファイバケーブルを長さ方向に移動可能に保持する保持部材とを備え、前記工具本体が、前記基準面に対し傾斜して形成された引取り面を有し、この引取り面と前記基準面との境界が剥離用縁部とされ、前記基材を前記基準面に向けた姿勢で前記保持部材との間に配置した光ファイバケーブルの前記基材を、前記剥離用縁部を経て前記引取り面に引き取ることによって前記光ファイバから剥離させる光ファイバ口出し方法である。
【発明の効果】
【０００８】
本発明によれば、光ファイバケーブルの基材を、工具本体の基準面から剥離用縁部を経て引取り面に沿って引き取ることによって、基材は、剥離用縁部において光ファイバから離れる方向に急激に力が加えられて光ファイバから剥離される。
基材にのみ曲げ方向の力を加えることができるため、光ファイバには大きな曲げ力が加えられることがなく、基材からの剥離の際に光ファイバが破損するのを防止できる。
【発明を実施するための最良の形態】
【０００９】
以下、本発明の一実施形態である光ファイバ口出し工具１について、図面を参照して説明する。
図１および図２は本発明に係る光ファイバ口出し工具１を示す側面図であり、図１は保持部材３が閉位置にある状態を示し、図２は保持部材３が開位置にある状態を示す。図３は光ファイバ口出し工具１を示す上面図である。図４は光ファイバ口出し工具１を示す下面図である。図５および図６は光ファイバ口出し工具１を示す前面図であり、図５は保持部材３が閉位置にある状態を示し、図６は保持部材３が開位置にある状態を示す。図７は光ファイバ口出し工具１の内部構造を示す側面図である。図８はスペーサ部材１３の先端部を示す模式図である。
【００１０】
図１〜図４に示すように、光ファイバ口出し工具１は、工具本体２と、工具本体２に回動自在に設けられた保持部材３とを備えている。
工具本体２は、板状の基体部１１と、基体部１１の先端部を含む位置に、基体部１１と平行に配置された板状のガイド体１２と、これらの間に挟まれた板状のスペーサ部材１３とを備えている。
【００１１】
図１に示すように、基体部１１は、長辺部１１Ａと、これに対しほぼ平行な短辺部１１Ｂと、これら辺部１１Ａ、１１Ｂに対し傾斜した斜辺部１１Ｃと、辺部１１Ａ、１１Ｂに略垂直な短辺部１１Ｄとを有する側面視略台形状に形成されている。斜辺部１１Ｃの先端部（最下部）には、長辺部１１Ａに沿う方向（図１および図２における左方）に突出する矩形状の突出部１４が形成されている。
突出部１４の内面１４ａには、内面１４ａに対し垂直なガイドピン１５、１５が形成されている。ガイドピン１５は、スペーサ部材１３の幅（すなわち溝部１６の幅）より長く形成されている。
ガイド体１２は、基体部１１の長辺部１１Ａに沿う長辺部１２Ａと、これに対しほぼ平行な短辺部１２Ｂと、これら辺部１２Ａ、１２Ｂに対し傾斜した斜辺部１２Ｃと、辺部１２Ａ、１２Ｂに略垂直な短辺部１２Ｄとを有する側面視略台形状に形成されている。
【００１２】
図１および図７に示すように、スペーサ部材１３は、長辺部１３Ａと、これに対しほぼ平行な短辺部１３Ｂと、これら辺部１３Ａ、１３Ｂに対し傾斜した斜辺部１３Ｃと、辺部１３Ａ、１３Ｂに略垂直な短辺部１３Ｄとを有する側面視略台形状に形成されている。
長辺部１３Ａの端面（図１、図２および図７における下面）を基準面４という。
図５および図６に示すように、基準面４は、スペーサ部材１３に対しほぼ垂直とすることができ、長辺部１１Ａ、１２Ａの端面１１ａ、１２ｂに、ほぼ面一とするのが好ましい。
図７および図８に示すように、斜辺部１３Ｃの端面を引取り面５といい、引取り面５と基準面４との間の境界を剥離用縁部６という。
【００１３】
図８に示すように、基準面４に対する引取り面５の傾斜角度θは、９０度以下が好ましく、例えば２０〜８０度とすることができる。
傾斜角度θは、大きすぎれば基材３３に加えられる剥離方向の力が小さくなり、基材３３が光ファイバ３２から剥離されにくくなる。また、傾斜角度θが小さすぎれば、基材３３の引き取りの際に剥離用縁部６での抵抗が大きくなり、引き取りがスムーズにいかなくなるおそれがある。
剥離用縁部６は、先端が断面円弧状に形成されていると、基材３３の引き取りの際の抵抗が小さくなり、引き取り操作がスムーズになるため好ましい。
【００１４】
図１および図５〜図７に示すように、引取り面５は、斜辺部１１Ｃ、１２Ｃの端面より低い位置にあるため、基体部１１、ガイド体１２、および引取り面５によって溝部１６が形成される。
この溝部１６に光ファイバセンサケーブル３１を通すことによって、光ファイバセンサケーブル３１の幅方向の移動が制限され、光ファイバセンサケーブル３１の脱落を防止できる。
【００１５】
図５および図６に示すように、保持部材３は、断面Ｌ字型の留め具２１と、その内面側に設けられた支持板２２と、その内面側に設けられた保持板２３とを有する。
留め具２１は、基部２１Ａと、これに垂直な延出部２１Ｂとからなる。基部２１Ａは、基体部１１に設けられた連結具２４の先端に、回動軸２１ａを介してヒンジ結合されている。
保持板２３は、支持板２２を介して基部２１Ａの内面に設けられ、閉位置（図５参照）においては、光ファイバセンサケーブル３１を基準面４に押さえ込んで保持する。
留め具２１は、回動軸２１ａで回動することで、光ファイバセンサケーブル３１を基準面４に押さえ込んで保持する閉位置（図５参照）と、光ファイバセンサケーブル３１を開放する開位置（図６参照）とを切り替え可能である。
【００１６】
図５に示すように、留め具２１は、例えば金属板からなり、ガイド体１２の外面に設けられたマグネット２５に着脱可能に吸着するように構成することができる。留め具２１の延出部２１Ｂをマグネット２５に吸着させることによって、閉位置を維持できる。
開位置と閉位置を切り替えする構成はこれに限らず、例えば、ガイド体１２に係止凹部（図示略）を設けるとともに、延出部２１Ｂに、閉位置において前記係止凹部（図示略）に係止する係止爪（図示略）を設けることもできる。
【００１７】
次に、光ファイバ口出し工具１の使用方法について説明する。
図１０は、光ファイバケーブルの一例を示すもので、この光ファイバセンサケーブル３１は、歪み検知用光ファイバ３２が、基材３３の一方面に、樹脂などからなる固定材３４によりその長さ方向に沿って固定されて構成されている。
基材３３は、測定対象物に貼り付け固定可能とされ、歪み検知用光ファイバ３２は、測定対象物の歪みに伴って歪みを生じるようになっている。
【００１８】
図７および図８に示すように、光ファイバセンサケーブル３１を、基材３３の他方面を基準面４に向けた姿勢で保持部材３との間に配置する。光ファイバセンサケーブル３１は、基準面４と保持部材３との間に、長さ方向に移動自在に保持される。
【００１９】
予め光ファイバ３２から剥がしておいた基材３３の一部を、引取り面５に沿って溝部１６に通し、引取り面５に沿って引き取ると、基材３３は剥離用縁部６において急激に曲げられる。
この際、基材３３には光ファイバ３２から急激に離れる方向に力が加えられるため、基材３３は光ファイバ３２から剥離される。基材３３に大きな曲げ方向の力が加えられて剥離するため、光ファイバ３２には大きな曲げ力が加えられず、光ファイバ３２が破損することはない。
このように、基材３３が、基準面４から剥離用縁部６を経て引取り面５に沿って引き取られる過程で、剥離用縁部６において光ファイバ３２から剥離することによって、光ファイバ３２は口出しされる。
【００２０】
この基材３３の引き取り操作を、光ファイバ口出し工具１または光ファイバセンサケーブル３１を相対的に移動させつつ行うことによって、基材３３を連続的に剥離させることができる。例えば、図７において、光ファイバセンサケーブル３１を基準面４に沿って左方に移動させつつ基材３３を引き取ることによって、基材３３を連続的に剥離させることができる。
【００２１】
この光ファイバ口出し工具１によれば、基材３３は、剥離用縁部６において光ファイバ３２から離れる方向に急激に力が加えられて光ファイバ３２から剥離される。
基材３３にのみ曲げ方向の力が加えられるため、光ファイバ３２には大きな曲げ力が加えられることがなく、基材３３からの剥離の際に光ファイバ３２が破損するのを防止できる。
【００２２】
図９は本発明に係る光ファイバ口出し工具の他の例を示す側面図である。
この光ファイバ口出し工具４１では、基体部１１の内面に、基材３３を引き取る引取ローラ４２が設けられている。引取ローラ４２は、回転用ハンドル４３が設けられた主ローラ４４と、主ローラ４４との間に基材３３を挟む押えローラ４５とからなる。
回転用ハンドル４３の操作によって、主ローラ４４を回転させることによって、基材３３を引き取ることができる。
このため、基材３３の引取の操作が容易になる。
【００２３】
なお、図１０に示す光ファイバセンサケーブル３１は基材３３上に１本の光ファイバ３２が設けられた構造であるが、本発明の光ファイバ口出し工具は、これに限らず、複数本の光ファイバ３２が基材３３表面に設けられた構造の光ファイバセンサケーブルに適用することもできる。
この場合には、これら複数本の光ファイバ３２を同時に口出し可能である。
【図面の簡単な説明】
【００２４】
【図１】本発明に係る光ファイバ口出し工具の一例を示す側面図であり、保持部材が閉位置にある状態を示す図である。
【図２】図１に示す光ファイバ口出し工具を示す側面図であり、保持部材が開位置にある状態を示す図である。
【図３】図１に示す光ファイバ口出し工具を示す上面図である。
【図４】図１に示す光ファイバ口出し工具を示す下面図である。
【図５】図１に示す光ファイバ口出し工具を示す前面図であり、保持部材が閉位置にある状態を示す図である。
【図６】図１に示す光ファイバ口出し工具を示す前面図であり、保持部材が開位置にある状態を示す図である。
【図７】図１に示す光ファイバ口出し工具の内部構造を示す側面図である。
【図８】スペーサ部材の先端部を示す模式図である。
【図９】本発明に係る光ファイバ口出し工具の他の例を示す側面図である。
【図１０】本発明に係る光ファイバ口出し工具を適用可能な光ファイバセンサケーブルを示す斜視図である。
【図１１】図１０に示す光ファイバセンサケーブルから光ファイバの口出しを行う操作を示す模式図である。
【図１２】図１０に示す光ファイバセンサケーブルから光ファイバの口出しを行う操作を示す模式図である。
【符号の説明】
【００２５】
１・・・光ファイバ口出し工具、２・・・工具本体、３・・・保持部材、４・・・基準面、５・・・引取り面、６・・・剥離用縁部、１６・・・溝部、３１・・・光ファイバセンサケーブル（光ファイバケーブル）、３２・・・光ファイバ、３３・・・基材、４２・・・引取ローラ、θ・・・引取り面の傾斜角度。
【図１】
2010072449.tif 000003
【図２】
2010072449.tif 000004
【図３】
2010072449.tif 000005
【図４】
2010072449.tif 000006
【図５】
2010072449.tif 000007
【図６】
2010072449.tif 000008
【図７】
2010072449.tif 000009
【図８】
2010072449.tif 000010
【図９】
2010072449.tif 000011
【図１０】
2010072449.tif 000012
【図１１】
2010072449.tif 000013
【図１２】
2010072449.tif 000014